(57)【特許請求の範囲】
【請求項１】
プラスチック製のＬ字形コーナー連結具を介して、額縁が縦横両フレームを４５度の切断端面で互いに押し付ける突合せ固定手段を備えており、そのコーナー連結具において、両挿入片は、フレームの外側壁に接合して嵌入される縦巾片と、裏側壁に接合して嵌入される横巾片とからなる断面Ｌ字形であって、挿入口部分よりも奥まる基部では、フレームの表側壁を内側方向へ横巾片に対して角度変形する縦巾片の弾力で押すように構成してあることを特徴とする額縁のコーナー連結具。
【請求項２】
フレームが外側壁に表側壁と裏側壁とを屈折して備わる断面コ字形の基本形状で、縦巾片と横巾片とを嵌入するために、外側壁の内側と裏側壁の内側にそれぞれ嵌入用溝が形成してあって、両挿入片の基部がフレームの外側壁と裏側壁との間の内角に対して、前記Ｌ字形断面の角度をやや小さくすることにより、表側壁を内側へ押す形状となっていることを特徴とする請求項１記載の額縁のコーナー連結具。
【請求項３】
フレームが外側壁に表側壁と裏側壁とを屈折して備わる断面コ字形の基本形状で、縦巾片と横巾片とを嵌入するために、外側壁の内側と裏側壁の内側にそれぞれ嵌入用溝が形成してあって、基部において縦巾片の外面の裏方端と内面の表方端との両方又は一方に突条ないし突起等の突部を設けることにより、表側壁を内側へ押す形状となっていることを特徴とする請求項１記載の額縁のコーナー連結具。
【発明の詳細な説明】
【０００１】
【発明の属する技術分野】
この発明は、アルミ等の押出形材からなる縦横フレームの双方に挿入してそれを４５度の切断端面で直角に突き合わせる額縁のコーナー連結具に関する。
【０００２】
【従来の技術】
額縁のコーナー連結具は、一般的に金属またはプラスチックによりＬ字形に形成され、縦横フレームの双方に挿入して固定することによりそれを連結するものであるが、突き合わせの間に隙間が生じやすく、それが額縁の表側に現れると見苦しいために、隙間の発生を防止する必要がある。その手段として、従来は、突合せ目に力が加わるように、コーナー連結具に対して両フレームを長手方向に押して止める突合せ固定手段が講じられていた。
【０００３】
これには、例えば、梃子やカム、ネジ等の倍力の機構、あるいは逆止爪等が用いられる。この出願人に係る特許２８７８９８３号公報、特許３０７５５２６号公報に記載されるものは、逆止爪を用いた例と言える。しかし、突合せ固定手段だけでは、コーナーの表側において突合せ目に隙間が生じることを完全に防止することはできなかった。
【０００４】
【発明が解決しようとする課題】
コーナーの表側に隙間が発生する原因としては、コーナー連結具の挿入片を軸として、フレームが回転方向に余裕があるために、突合せ固定手段により裏側では圧接しても、表側では突き合わせに至らないときがあることが一因として挙げられる。これは、フレームの切断端面が４５度の斜面であることに特有の現象である。ちなみに、Ｌ字形の角部にコーナーブロックを有する連結具であると、この場合、フレームの端が直角であるために、隙間が生じないし生じても目立たなかった。
【０００５】
この発明は、上記のような実情に鑑みて、縦横フレームの突き合わせ固定手段を設けるとともに、その突き合わせが裏側に優先して表側においてなされるために、表側では突合せ目に隙間が生じない額縁のコーナー連結具を提供することを目的とした。
【０００６】
【課題を解決するための手段】
上記の目的を達成するために、プラスチック製のＬ字形コーナー連結具を介して、額縁が縦横両フレームを４５度の切断端面で互いに押し付ける突合せ固定手段を備えており、そのコーナー連結具において、両挿入片は、フレームの外側壁に接合して嵌入される縦巾片と、裏側壁に接合して嵌入される横巾片とからなる断面Ｌ字形であって、挿入口部分よりも奥まる基部では、フレームの表側壁を内側方向へ横巾片に対して角度変形する縦巾片の弾力で押すように構成してあることを特徴とする額縁のコーナー連結具を提供するものである。
【０００７】
【作用】
上記の構成によれば、縦横フレームを連結するために、挿入片に嵌入する始めにおいては余裕があり抵抗はないが、基端部に至ると縦巾片がフレームの表側壁を弾力で押す結果、フレームに対して回る余裕なく固定されるとともに、表側壁での切断端面がわずかながら突き出ために、表側壁の突合せ目には隙間が生じなく、突合せ固定手段との作用とも相まってこの状態が保持される。
【０００８】
【発明の実施の形態】
この発明においては、両挿入片３，３が挿入口部分４よりも奥まる基端部では、縦巾片５が表方端で弾力によりフレーム１の表側壁１６を内側方向Ｔへ押す形状に形成され、その分力方向Ｒへ切断端面２７が押し出され、表側壁１６，１６どうしの突合せ目３３に隙間が生じなくなるものであるが、この形状はフレーム１との相対的形状において様々となる。
【０００９】
その形状について、請求項２では、フレーム１の外側壁１５と裏側壁１７との間の内角αに対して、挿入片３基端部の断面Ｌ字形の角度を少なくした場合であって、フレーム１の内角αは一般的に直角であるが、そのときには、Ｌ字形の角度は鋭角となる（図５，図６の実施例参照）。
【００１０】
また、請求項３では、挿入片３の基端部において、縦巾片５の外側面の裏方端と内側面の表方端とに突部を設けて、同じ作用を果たすようにしたものであるが、その突部の形状は、突条８，９であったり（図１ないし図４の実施例参照）、突起であったり、隆起であったりする。さらに、フレーム１との相対的形状であるから、フレーム１に突部を設けてもこの発明の趣旨に反しないものとする。
【００１１】
突合せ固定手段１０については、例えば、梃子やカム、ネジ等の倍力の機構、あるいは逆止爪等が用いられる。実施例では逆止爪１１が用いられる場合を示す。なお、突き合わせが表側で優先するため、裏側では突合せ目３４に隙間が生じることがあるが、使用上で目にふれることはない。
【００１２】
【発明の効果】
以上説明したように、この発明の額縁のコーナー連結具によれば、上記のような実情に鑑みて、縦横フレームの突き合わせ固定手段を設けるものであるが、挿入片の基端部で弾力が働くことにより、その突き合わせが裏側に優先して又は同時に表側においてなされ、しかもゆとりなくフレームを固定するため、表側では突合せ目に隙間が生じることがなく生じても目立たない程度で美的に保持されることから、体裁の良い額縁を提供する上において優れた効果を発揮する。
【００１３】
【実施例】
次に、この発明の実施例を図面に基づいて説明する。
【００１４】
図１ないし図４は一実施例を示したもので、その額縁のコーナー連結具Ｐは、額縁Ｇの縦横フレーム１，１双方への挿入片３，３を有するＬ字形連結具であって、両挿入片３，３が縦巾片５に横巾片６が交会する断面Ｌ字形に形成され、縦巾片５に上下一対の突条８，９が側面を異にして設けられ、横巾片５，５の上には、縦横フレーム１，１の突合せ固定手段１０を構成する逆止爪１１，１１とその両方を押す二股ボタン１３が設けられる。
【００１５】
額縁Ｇのフレーム１は、外側壁１５に表側壁１６と裏側壁１７とが直角に屈折する断面コ字形であって、外側壁１５にコーナー連結具Ｐの縦巾片５が、裏側壁１７に横巾片６がそれぞれ接合するものであるが、さらに、表側壁１６に外側壁１５と平行な内部突片１９を突設することにより、縦巾片５の嵌入溝２１を余裕ある幅で形成してある。また、横巾片６の内側の端に反転屈折片２２を設けて横巾片６の端が嵌まる嵌入溝２３を窮屈に形成してある。この窮屈な幅により横巾片６がフレーム１の裏側壁１７に密着保持される。また、表側壁１６の端に開口縁片２５を突設し、開口縁片２５と反転屈折片２２との間の開口に図示しない透明板や裏板等の内容物が挟まれるようになっている。
【００１６】
また、前記突合せ固定手段１０の構成として、フレーム１の裏側壁１７に二股ボタン１３を逃す切欠溝２９を形成する他、逆止爪１１が嵌まる抜け穴３１が設けられる。
【００１７】
コーナー連結具Ｐについて、縦巾片５の外面と横巾片６の外面との角度は、フレーム１の外側壁１５と裏側壁１７との間の内角αと同じく直角であるが、縦巾片５の外面の外角縁と内面の端縁に沿ってそれぞれ突条８，９が形成されているので、フレーム１に挿入片３を嵌入したときに、外突条８が外側壁１５を裏方端で外側（Ｓ方向）へ押し、そこを支点として内突条９が内部突片１９の下端を内側へ押すので、外側壁１５の微少な弾性変形とフレーム１のわずかな回転とが伴って表側壁１６が内側へ少し移動し（Ｔ方向）、その結果、切断端面２７が表側壁１６ではＲ方向へ突き出ることになり、こうして、突合せ固定手段１０が働いたときに突合せ目３３が隙間なく締まる。
【００１８】
なお、内突条９のみを設けても同じことなるが、上記のように両突条８，９を設けると効果的である。また、外突条８のみを設けたときには、その突条８がフレーム１を押す反動で内側へ全体的にずれ、この時も突条８の箇所が支点となって、縦巾片５が内部突片１９を内側へ押すので、隙間のない同様の結果となる。
【００１９】
突合せ固定手段１０については、逆止爪１１の回りにＵ溝３６を設けることにより弾性片３５が形成され、両弾性片３５，３５の間を跨ぐように二股ボタン１３が設けられているので、フレーム１の連結を解くときには、二股ボタン１３を下へ押すことにより、抜け穴３１，３１から逆止爪１１，１１を外す。
【００２０】
図５及び図６は他の実施例を示し、フレーム１について、裏側壁１７と外側壁１５との間の内角αが直角であるが、コーナー連結具Ｐの挿入片３については、横巾片６に対して縦巾片５が傾斜するやや鋭角のＬ字形断面としたものであって、挿入片３をフレーム１に挿入すると、内角開拡の弾性変形した反発力により表側壁１６が内側（Ｔ方向）へ押されることになり、表側で隙間が生じない同様の結果が得られる。なお、挿入片３についてＬ字形の角度を明示のために極端に示した。
【図面の簡単な説明】
【図１】この発明に係る額縁のコーナー連結具を縦横フレームの連結要領において示す斜視図である。
【図２】縦横フレームを連結した状態を示す斜視図である。
【図３】図２のＡ−Ａ線矢視の断面図である。
【図４】縦横フレームを連結した状態を示す表面から見た平面図である。
【図５】他の実施例を示すフレームの断面図である。
【図６】同実施例におけるコーナー連結具の要部断面図である。
【符号の説明】
Ｇ  額縁
Ｐ  額縁のコーナー連結具
Ｔ  内側方向
１  フレーム
３  挿入片
４  挿入口部分
５  縦巾片
６  横巾片
８，９  突条
１０  突合せ固定手段
１５  外側壁
１６  表側壁
１７  裏側壁
２１，２３  嵌入用溝
２７  切断端面
α  内角
【図１】
0003830142.tif 000002
【図２】
0003830142.tif 000003
【図３】
0003830142.tif 000004
【図４】
0003830142.tif 000005
【図５】
0003830142.tif 000006
【図６】
0003830142.tif 000007